(57)【要約】【課題】記録速度を維持したまま、追跡パターンを記録することができるカラー画像形成装置を提供することを目的とする。【解決手段】カラーインクジェットプリンタ装置を画像記録手段として備えたカラー画像形成装置において、コピー動作時には、複写画像の画素単位に追跡パターンを重畳して複写画像を記録する記録制御手段を備えた。したがって、複写画像が含まれる画素にのみ、追跡パターンが重畳されてコピーされるので、カラーインクジェットプリンタ装置の白スキップ動作を有効に行うことができ、その結果、記録速度が向上するという効果を得る。【選択図】        図３
2005088387.tif 000002
【特許請求の範囲】
【請求項１】
カラーインクジェットプリンタ装置を画像記録手段として備えたカラー画像形成装置において、
コピー動作時には、複写画像の画素単位に追跡パターンを重畳して複写画像を記録する記録制御手段を備えたことを特徴とするカラー画像形成装置。
【請求項２】
カラーインクジェットプリンタ装置を画像記録手段として備えたカラー画像形成装置において、
コピー動作時には、複写画像が記録されるライン単位に追跡パターンを重畳して複写画像を記録する記録制御手段を備えたことを特徴とするカラー画像形成装置。
【請求項３】
カラーインクジェットプリンタ装置を画像記録手段として備えたカラー画像形成装置において、
コピー動作時には、複写画像を囲む最小の矩形領域について追跡パターンを重畳して複写画像を記録する記録制御手段を備えたことを特徴とするカラー画像形成装置。
【請求項４】
カラーインクジェットプリンタ装置を画像記録手段として備えたカラー画像形成装置において、
上記画像記録手段は、インク吹き出しノズルが副走査方向に複数配列された印字ヘッドを有し、当該印字ヘッドを主走査方向へ移動して、複数ライン単位に画像記録を行い、
主走査方向には第１の所定画素数で、かつ、副走査方向には、上記複数ライン数に相当する第２の所定画素数からなるブロック単位に、画像記録動作を制御し、
コピー動作時には、複写画像が記録される上記ブロック単位に追跡パターンを重畳して複写画像を記録するようにしたことを特徴としたカラー画像形成装置。
【請求項５】
カラーインクジェットプリンタ装置を画像記録手段として備えたカラー画像形成装置において、
上記画像記録手段は、インク吹き出しノズルが副走査方向に複数配列された印字ヘッドを有し、当該印字ヘッドを主走査方向へ移動して、複数ライン単位に画像記録を行い、
主走査方向には第１の所定画素数で、かつ、副走査方向には、上記複数ライン数に相当する第２の所定画素数からなるブロック単位に、画像記録動作を制御し、
コピー動作時には、複写画像をブロック単位に囲む最小の矩形ブロック領域について追跡パターンを重畳して複写画像を記録するようにしたことを特徴としたカラー画像形成装置。
【発明の詳細な説明】
【技術分野】
【０００１】
本発明は、カラーインクジェットプリンタ装置を画像記録手段として備えたカラー画像形成装置に関する。
【背景技術】
【０００２】
一般に、カラーインクジェットプリンタ装置を備えたカラー画像形成装置では、紙幣や有価証券等が偽造される恐れがあるのでその識別機能を有するが、識別できない場合に画像出力を行ってしまうので偽造を許すことになる。
【０００３】
そこで、偽造元の機械を追跡可能にするために、製造番号等を示し、人間の目には識別しにくい色のパターン画像（以下、「追跡パターン」という）をオリジナル画像に重畳して記録する方法が提案されている。
【特許文献１】特開平４−２９４６８２号公報
【発明の開示】
【発明が解決しようとする課題】
【０００４】
しかしながら、このような従来方法では、追跡パターンは記録用紙の全領域に付加することになり、そのために、記録速度向上のため行う、画情報がない部分を印字ヘッドを操作させないでスキップする白スキップ動作を行うことができず、記録速度が大幅に低下するという不具合を生じていた。
【０００５】
本発明はこのような課題を解決するために、記録速度を維持したまま、追跡パターンを記録することができるカラー画像形成装置を提供することを目的とする。
【課題を解決するための手段】
【０００６】
本発明は、カラーインクジェットプリンタ装置を画像記録手段として備えたカラー画像形成装置において、コピー動作時には、複写画像の画素単位に追跡パターンを重畳して複写画像を記録する記録制御手段を備えたものである。
【０００７】
また、カラーインクジェットプリンタ装置を画像記録手段として備えたカラー画像形成装置において、コピー動作時には、複写画像が記録されるライン単位に追跡パターンを重畳して複写画像を記録する記録制御手段を備えたものである。
【０００８】
また、カラーインクジェットプリンタ装置を画像記録手段として備えたカラー画像形成装置において、コピー動作時には、複写画像を囲む最小の矩形領域について追跡パターンを重畳して複写画像を記録する記録制御手段を備えたものである。
【０００９】
また、カラーインクジェットプリンタ装置を画像記録手段として備えたカラー画像形成装置において、上記画像記録手段は、インク吹き出しノズルが副走査方向に複数配列された印字ヘッドを有し、当該印字ヘッドを主走査方向へ移動して、複数ライン単位に画像記録を行い、主走査方向には第１の所定画素数で、かつ、副走査方向には、上記複数ライン数に相当する第２の所定画素数からなるブロック単位に、画像記録動作を制御し、コピー動作時には、複写画像が記録される上記ブロック単位に追跡パターンを重畳して複写画像を記録するようにしたものである。
【００１０】
カラーインクジェットプリンタ装置を画像記録手段として備えたカラー画像形成装置において、上記画像記録手段は、インク吹き出しノズルが副走査方向に複数配列された印字ヘッドを有し、当該印字ヘッドを主走査方向へ移動して、複数ライン単位に画像記録を行い、主走査方向には第１の所定画素数で、かつ、副走査方向には、上記複数ライン数に相当する第２の所定画素数からなるブロック単位に、画像記録動作を制御し、コピー動作時には、複写画像をブロック単位に囲む最小の矩形ブロック領域について追跡パターンを重畳して複写画像を記録するようにしたものである。
【発明の効果】
【００１１】
したがって、複写画像が含まれる画素にのみ、追跡パターンが重畳されてコピーされるので、カラーインクジェットプリンタ装置の白スキップ動作を有効に行うことができ、その結果、記録速度が向上するという効果を得る。
【００１２】
したがって、複写画像が含まれるラインにのみ、追跡パターンが重畳されてコピーされるので、カラーインクジェットプリンタ装置の白スキップ動作を有効に行うことができ、その結果、記録速度が向上するという効果を得る。
【００１３】
したがって、複写画像を囲む矩形領域にのみ、追跡パターンが重畳されてコピーされるので、カラーインクジェットプリンタ装置の白スキップ動作を有効に行うことができ、その結果、記録速度が向上するという効果を得る。
【００１４】
したがって、複写画像が含まれるブロック単位にのみ、追跡パターンが重畳されてコピーされるので、カラーインクジェットプリンタ装置の白スキップ動作を有効に行うことができ、その結果、記録速度が向上するという効果を得る。
【００１５】
したがって、複写画像を囲む矩形ブロック領域にのみ、追跡パターンが重畳されてコピーされるので、カラーインクジェットプリンタ装置の白スキップ動作を有効に行うことができ、その結果、記録速度が向上するという効果を得る。
【発明を実施するための最良の形態】
【００１６】
以下、添付図面を参照しながら、本発明の実施の形態を詳細に説明する。
【００１７】
図１は、本発明の一実施例にかかるカラー画像形成装置を備えている。また、このカラー画像形成装置は、カラー複写機能およびカラーファクシミリ機能を備えた複合機として機能するものである。
【００１８】
同図において、システム制御部１は、このカラー画像形成装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このカラー画像形成装置に固有な各種の情報を記憶するためのものであり、時計回路４は、現在時刻情報を出力するためのものである。
【００１９】
スキャナ５は、所定の解像度で原稿画像を読み取るためのものであり、プロッタ６は、所定の解像度でフルカラー画像を記録出力するカラーインクジェットプリンタ装置からなる。また、操作表示部７は、このカラー画像形成装置を操作するためのもので、各種の操作キー、および、各種の表示器からなる。
【００２０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２２】
網制御装置１１は、このカラー画像形成装置をアナログ公衆網ＰＳＴＮに接続するためのものであり、自動発着信機能を備えている。
【００２３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２４】
また、網制御装置１１とグループ３ファクシミリモデム１０との間のデータのやりとりは、直接行なわれている。
【００２５】
また、プロッタ６は、図２に示すように、縦方向（副走査方向）に所定個数の吹出ノズルＮＬを配列した印字ヘッドＨＤを備えており、この印字ヘッドＨＤを主走査方向へ移動することで、複数ライン数の画像ラインを同時に記録することができる。
【００２６】
また、主走査方向へ所定の画素数で、かつ、副走査方向へ印字ヘッドＨＤの吹出ノズルＮＬの数に相当する画素数の画像領域をブロック単位に設定し、このブロック単位に画像を記録制御することもできる。
【００２７】
さて、本実施例では、例えば、図３（ａ）に示すような複写画像ＰＴを複写記録する際、同図（ｂ）に示すように、複写画像ＰＴに画素単位に追跡パターン（詳細は省略する）を重畳して記録用紙ＰＰに記録するようにしている。
【００２８】
これにより、追跡パターンが記録用紙ＰＰの全記録領域に付加されるような事態を回避することができ、例えば、白スキップ動作を適切に行うことができるので、複写速度が低下するような事態を回避することができる。
【００２９】
図４は、この場合の複写処理の一例を示している。
【００３０】
まず、複写する記録画像データを画像蓄積装置９より読み込む（処理１０１）。次いで、読み込んだ記録画像データについて、画素単位に記録領域を判定し（処理１０２）、その判定した記録領域の画像データに、所定の追跡パターンのデータ（追跡データ）を重畳して合成する（処理１０３）。
【００３１】
次いで、処理１０３で形成した合成後の画像データの記録画像を、プロッタ６より記録出力する（処理１０４）。
【００３２】
また、例えば、図３（ｂ）に示すように、複写画像ＰＴを含む記録ライン（副走査ライン）単位に追跡パターンを重畳して記録用紙ＰＰに記録することもできる。
【００３３】
この場合にも、追跡パターンが記録用紙ＰＰの全記録領域に付加されるような事態を回避することができ、例えば、白スキップ動作を適切に行うことができるので、複写速度が低下するような事態を回避することができる。
【００３４】
図５は、この場合の複写処理の一例を示している。
【００３５】
まず、複写する記録画像データを画像蓄積装置９より読み込む（処理２０１）。次いで、読み込んだ記録画像データについて、副走査ライン単位に記録領域を判定し（処理２０２）、その判定した記録領域の画像データに、所定の追跡パターンのデータ（追跡データ）を重畳して合成する（処理２０３）。
【００３６】
次いで、処理２０３で形成した合成後の画像データの記録画像を、プロッタ６より記録出力する（処理２０４）。
【００３７】
また、例えば、図３（ｃ）に示すように、複写画像ＰＴを囲む最小の矩形領域について、追跡パターンを重畳して記録用紙ＰＰに記録することもできる。
【００３８】
この場合にも、追跡パターンが記録用紙ＰＰの全記録領域に付加されるような事態を回避することができ、例えば、白スキップ動作を適切に行うことができるので、複写速度が低下するような事態を回避することができる。
【００３９】
図６は、この場合の複写処理の一例を示している。
【００４０】
まず、複写する記録画像データを画像蓄積装置９より読み込む（処理３０１）。次いで、読み込んだ記録画像データについて、記録画像データを囲む最小の矩形領域を記録領域として判定し（処理３０２）、その判定した記録領域の画像データに、所定の追跡パターンのデータ（追跡データ）を重畳して合成する（処理３０３）。
【００４１】
次いで、処理３０３で形成した合成後の画像データの記録画像を、プロッタ６より記録出力する（処理３０４）。
【００４２】
また、例えば、図３（ｄ）に示すように、複写画像ＰＴが含まれるブロックＢＬ単位（斜線部）に、追跡パターンを重畳して記録用紙ＰＰに記録することもできる。
【００４３】
この場合にも、追跡パターンが記録用紙ＰＰの全記録領域に付加されるような事態を回避することができ、例えば、白スキップ動作を適切に行うことができるので、複写速度が低下するような事態を回避することができる。
【００４４】
図７は、この場合の複写処理の一例を示している。
【００４５】
まず、複写する記録画像データを画像蓄積装置９より読み込む（処理４０１）。次いで、読み込んだ記録画像データを含む１つ以上のブロックを追跡マーク付加領域として判定し（処理４０２）、その判定した追跡マーク付加領域の画像データに、所定の追跡パターンのデータ（追跡データ）を重畳して合成する（処理４０３）。
【００４６】
次いで、処理４０３で形成した合成後の画像データの記録画像を、プロッタ６より記録出力する（処理４０４）。
【００４７】
また、例えば、図８に示すように、複写画像ＰＴが含まれるブロックＢＬを囲む最小の矩形ブロック領域（斜線部）に、追跡パターンを重畳して記録用紙ＰＰに記録することもできる。
【００４８】
この場合にも、追跡パターンが記録用紙ＰＰの全記録領域に付加されるような事態を回避することができ、例えば、白スキップ動作を適切に行うことができるので、複写速度が低下するような事態を回避することができる。
【００４９】
図９は、この場合の複写処理の一例を示している。
【００５０】
まず、複写する記録画像データを画像蓄積装置９より読み込む（処理５０１）。次いで、読み込んだ記録画像データを含むブロックを囲む矩形ブロック領域を追跡マーク付加領域として判定し（処理５０２）、その判定した追跡マーク付加領域の画像データに、所定の追跡パターンのデータ（追跡データ）を重畳して合成する（処理５０３）。
【００５１】
次いで、処理５０３で形成した合成後の画像データの記録画像を、プロッタ６より記録出力する（処理５０４）。
【００５２】
なお、上述した実施例では、カラー複写機能とカラーファクシミリ機能を備えた複合機について、本発明を適用した場合について説明したが、本発明は、少なくともカラー複写機能を備えた他の複合機についても、同様にして適用することができる。
【図面の簡単な説明】
【００５３】
【図１】本発明の一実施例にかかるカラー画像形成装置の構成例を示したブロック図。
【図２】プロッタ６の印字ヘッドの一例を示した概略図。
【図３】追跡マーク付加領域について説明するための概略図。
【図４】複写処理の一例を示したフローチャート。
【図５】複写処理の他の例を示したフローチャート。
【図６】複写処理のさらに他の例を示したフローチャート。
【図７】複写処理のまたさらに他の例を示したフローチャート。
【図８】追跡マーク付加領域の他の例について説明するための概略図。
【図９】複写処理の別な例を示したフローチャート。
【符号の説明】
【００５４】
１  システム制御部
６  プロッタ（カラーインクジェットプリンタ装置）
【図１】
2005088387.tif 000003
【図２】
2005088387.tif 000004
【図３】
2005088387.tif 000005
【図４】
2005088387.tif 000006
【図５】
2005088387.tif 000007
【図６】
2005088387.tif 000008
【図７】
2005088387.tif 000009
【図８】
2005088387.tif 000010
【図９】
2005088387.tif 000011